(57)【要約】  配達位置を確認するためのシステム及び方法。例えば携帯型機器を備える配送業者は、位置に荷物を配送する。荷物が配達されるとき、配送業者は、装置に送達イベントをトリガし、送達イベントに対応して、装置はその位置におけるＲＦ指紋を決定する。ＲＦ指紋は記憶され、特定の位置に関連付けられた、以前に記憶されたＲＦ指紋と、ＲＦ指紋との比較が実行される。第１の装置によって決定されたＲＦ指紋が、以前に記憶されたＲＦ指紋に正しい配達位置で一致する場合、現在の配達位置が正しいものとして確認される。
2016540957.tif 000002
【特許請求の範囲】
【請求項１】
品物の所望の配達位置の確認方法であって、
第１回目で、第１の位置にて検出された１つ以上の無線信号に関する第１の情報を収集し、
第２回目で所望の配達位置にて検出された１つ以上の無線信号についての第２の情報を識別し、前記第２回目は前記第１回目より前であり、
いくつかの重複する無線信号を決定し、重複する無線信号は、前記第１の情報と第２の情報の両方に含まれる無線信号であり、
それぞれの重複する無線信号のために、前記第１の情報と第２の情報中で検出された信号強度を決定し、
前記第１の位置が前記所望の配達位置と同一である確率を表すスコアを決定し、前記スコアは、前記第１の情報と第２の情報中の前記いくつかの重複する無線信号と、前記対応する決定された信号強度を使用して決定され、
前記第１の位置は閾値を超える前記スコアに対応して、前記所望の配達位置と同一であることを確認することを含む、品物の所望の配達位置の確認方法。
【請求項２】
前記第１の情報を収集することは、送達イベントに対応して実行され、前記送達イベントは配達前の前記品物の在庫識別子を処理することを含み、前記方法は、前記第１の位置での装置から前記在庫識別子と前記第１の情報を遠隔装置へ送信することをさらに含む、請求項１に記載の方法。
【請求項３】
前記第１の情報中に表されていない前記第２の情報中に表されたいくつかの無線信号を識別し、
前記スコアを低減し、前記低減する量は、前記第１の情報中に表されていない前記第２の情報中に表された前記いくつかの無線信号によって決定されることをさらに含む、請求項１に記載の方法。
【請求項４】
配達位置で無線周波数指紋を決定し、
前記決定された無線周波数指紋と、以前に記憶された無線周波数指紋とを比較し、
前記以前に記憶された無線周波数指紋と実質的に同一である、前記決定された無線周波数指紋に対応してメッセージをローカル装置に送信し、前記メッセージは前記配達位置が正しいと示すことを含む方法。
【請求項５】
前記無線周波数指紋は、１つ以上の無線信号識別子、無線信号強度、無線信号周波数、無線信号送信機の識別子、または無線信号のパイロット信号のコンテンツを含み、前記以前に記憶された無線周波数指紋が１つ以上の住所、個人の名前、緯度／経度データ、または大気圧データに関連付けられる、請求項４に記載の方法。
【請求項６】
前記決定された無線周波数指紋を前記以前に記録された無線周波数指紋と比較することが、
前記決定された無線周波数指紋のいくつかの無線信号と対応する信号強度と、前記以前に記録された無線周波数指紋のいくつかの無線信号と対応する信号強度とを比較し、
前記比較の結果に基づいてスコアを決定することを含む、請求項４に記載の方法。
【請求項７】
可能性のある配達位置で無線周波数指紋を記録するためにユーザの装置にインタフェースを提供し、
記録された無線周波数指紋を前記ユーザの装置から受信し、
前記記録された無線周波数指紋を前記可能性のある配達位置と関連付け、
前記記録された無線周波数指紋と、関連付けられた可能性のある配達位置を記憶することをさらに含む、請求項４に記載の方法。
【請求項８】
前記配達位置の通知の要求に対応して、前記無線周波数指紋に少なくとも部分的に基づいて、前記配達位置の指示をユーザに送信することをさらに含む、請求項４に記載の方法。
【請求項９】
複数の無線周波数指紋をローカル装置から受信し、
配達するためにターゲットの配達位置に関連付けられた以前に記憶された無線周波数指紋と実質的に同一の、少なくとも１つの前記複数の無線周波数指紋に対応して、前記ローカル装置が配達の位置にあることを示す前記ローカル装置に通知を送信することをさらに含む、請求項４に記載の方法。
【請求項１０】
配達位置を確認するためのシステムであって、
少なくとも１つのプロセッサと、
一連の操作を実行する、前記少なくとも１つのプロセッサによって実行される操作可能な指示を含む記憶装置とを備え、
前記プロセッサは
配達位置で無線周波数指紋を決定し、
前記決定された無線周波数指紋を以前に記憶された無線周波数指紋と比較するように構成され、
前記無線周波数指紋の少なくとも一部に基づいて前記配達位置の指示を送信する、システム。
【請求項１１】
前記少なくとも１つのプロセッサが、前記以前に記録された無線周波数指紋と実質的に同一である、前記決定された無線周波数指紋に対応してメッセージをローカル装置に送信するようさらに構成され、前記メッセージは前記配達位置が正しいと示すことを含む、請求項１０に記載のシステム。
【請求項１２】
前記無線周波数指紋は、１つ以上の無線信号識別子、無線信号強度、無線信号周波数、無線信号送信機の識別子、または無線信号のパイロット信号のコンテンツを備え、前記以前に記憶された無線周波数指紋が１つ以上の住所、個人の名前、緯度／経度データ、または大気圧データに関連付けられる、請求項１０に記載のシステム。
【請求項１３】
前記決定された無線周波数指紋を前記以前に記憶された無線周波数指紋と比較するように構成される前記少なくとも１つのプロセッサを備え、
前記少なくとも１つのプロセッサは、
いくつかの無線信号及び対応する前記決定された無線周波数指紋の信号強度と、いくつかの無線信号及び対応する前記以前に記憶された無線周波数指紋の信号強度とを比較し、
前記比較の結果に基づいてスコアを決定する、請求項１０に記載のシステム。
【請求項１４】
前記少なくとも１つのプロセッサが、さらに、
可能性のある配達位置で無線周波数指紋を記録するためにユーザの装置にインタフェースを提供し、
記録された無線周波数指紋を前記ユーザの装置から受信し、
前記記録された無線周波数指紋を前記可能性のある配達位置と関連付け、
前記記録された無線周波数指紋と、関連付けられた可能性のある配達位置を記憶するように構成された、請求項１０に記載のシステム。
【請求項１５】
前記少なくとも１つのプロセッサが、さらに、
複数の無線周波数指紋をローカル装置から受信し、
配達するためにターゲットの配達位置に関連付けられた、以前に記憶された無線周波数指紋と実質的に同一の、少なくとも１つの前記複数の無線周波数指紋に対応して、前記ローカル装置が配達の位置にあることを示す前記ローカル装置に通知を送信することように構成された、請求項１０に記載のシステム。
【発明の詳細な説明】
【技術分野】
【０００１】
（背景技術）
技術の進歩に伴い、コンピュータやスマートフォンのような電子機器の使用と人気が大幅に増加した。インターネットを介して店やプロバイダから商品を検索し購入することに興味を持つ人は多く、その後に購入者へと配送される。荷物が正しい位置へ配達されたことを確認することは、顧客が良い体験をすることを確実にするためと、不正を減少するために重要である。元来、正しい位置に荷物が配達されたことを確認するためには、配達員が配達位置にて購入者またはその他の人から署名を依頼していた。しかしながら、この署名を取得することは、時間がかかり不正が行われやすい。
【発明の概要】
【課題を解決するための手段】
【０００２】
ここで、本開示をより完全に理解するために、以下の記載が添付の図面とともに参照される。
【図面の簡単な説明】
【０００３】
【図１】態様を実行するためのシステムの概要を示す。
【図２】本開示の態様による、計算装置を概念的に示すブロック図である。
【図３】本開示の態様による、分散処理と共に使用するためのコンピューティングネットワークを示す。
【図４】本開示の態様による、分散環境を示す。
【図５】本開示の態様による、無線周波数（ＲＦ）指紋方式に基づいて配達位置を確認するための例示的方法を示すフローチャートである。
【図６】本開示の態様による、ＲＦ指紋の例示的なデータベース構造である。
【図７】本開示の態様による、配達位置を確認するための例示的方法を示すフローチャートである。
【図８】本開示の態様による、配達位置を識別するための例示的方法を示すフローチャートである。
【図９】本開示の態様を実行するための例示的方法を示すフローチャートである。
【図１０】本開示の態様を実行するための例示的方法を示すフローチャートである。
【発明を実施するための形態】
【０００４】
本開示の態様は、無線周波数指紋技術を使用する配達位置を確認するための装置、システム及び方法を含む。一態様では、無線周波数（ＲＦ）指紋は、例えば、配達位置で無線信号強度に基づき、一般に素早く入手可能であり、その位置から数メートル内で固有である。このＲＦ指紋は、次に、位置と対応するＲＦ指紋のデータベースで検証され、その位置が配達に正しい位置であることを確認する。
【０００５】
ＲＦ指紋は、装置によって検出可能な無線信号の表示である。ＲＦ指紋は、特定のＷｉＦｉ（登録商標）ネットワークに関連する信号及び／または固有の送信機またはアクセスポイント、セルラー信号、ブルートゥース信号、その他の無線伝送、または周囲ＲＦノイズ等のような、特定の検出可能な無線信号の識別を含み得る。ＲＦ指紋は、関連する信号強度、動作周波数、ネットワーク識別コード、パイロット信号等を検出されたＲＦ信号用に含み得る。ＲＦ指紋は、位置の変化、例えば特定の無線信号が検出不可能になり（または強度を失う）、その他が検出可能になる（または強度を増す）に従い変化し得る。そのため、特定の位置の装置により取得されるＲＦ指紋は、装置の位置の識別、または特定の無線送信機への近接の識別として機能し得る。ＲＦ指紋が特定の位置で取得されると、後に取得されたＲＦ指紋は、装置が特定の位置（または特定の位置に十分に近く）に戻ったか否かを決定するために、先に取得されたＲＦ指紋に適合され得る。
【０００６】
一態様では、配達位置の確認または証明は、計算装置、ラップトップコンピュータ、携帯電話、携帯情報端末（ＰＤＡ）、タブレット型コンピュータ、その他の携帯型機器等のような装置を備えた配送業者を伴う。本装置は、可視無線アクセスポイント（例えば、基本サービスセット識別子（ＢＳＳＩＤ））及び関連する無線周波数（ＲＦ）信号強度を、定期的にスキャンする（例えば、毎秒ごとまたはそれ以上）ＷｉＦｉチップのような無線信号受信コンポーネントを含む。これらの無線アクセスポイント及びその関連するＲＦ信号強度は、位置に基づいて指紋（無線周波数指紋）を作る。
【０００７】
配達が済むと、配達イベントが装置にトリガされ、配達イベントは、荷物の識別子（ＵＰＣコード、ＱＲコード（登録商標）等）をスキャンすること、位置確認を要求するボタンをクリックすること、または配送業者によるその他の行為を含み得る。配達イベントに対応して、その位置におけるＲＦ指紋が収集され、記録されるが、これは配達受取人の署名の収集と記録に類似している。ＲＦ指紋は、数メートル内の特定の位置用であり、その位置になければ推定をすることが困難な場合がある。位置のＲＦ指紋は時間の経過とともに変化するものの（例えば、無線アクセスポイントはサービスに加えられたり、サービスから取り除かれたりするため）、１つまたは少数がサービスから除かれたとしても、いくつかの無線アクセスポイントが残っている可能性があるため、一般的には時間の経過とともに安定性がある。したがって、新しいＲＦ指紋を１つ以上の現在のＲＦ指紋と比較することは位置の決定を支援し得る。
【０００８】
とりわけ、その位置におけるＲＦ指紋は、受取人自身のアクセスポイントに強いＲＦ信号を示しやすい可能性があるため、ＲＦ指紋を配達位置の確認に使用することは利点がある。無線アクセスポイントの範囲も、推定され、記録され得る。例えば、荷物が置かれた正面玄関から無線アクセスポイントまでの距離は、ＲＦ信号強度に基づいて約７〜１０メートルである。デフォルトのＲＦ送信電力及び設定情報のための基地局ＩＤによって無線基地局の製造を相互参照することにより、これはより正確になり得る可能性がある。さらに、任意の所与の位置または住所への次の配達は、ＲＦ指紋に基づいて正確性をより確実にし得る。第２回目、第３回目、第９回目等、荷物が「Ｘ」の住所に配達され、各ＲＦ指紋のサンプルが、同じ位置で収集された以前の１つ以上のＲＦ指紋と比較される。ＲＦ指紋の間の相関関係は、物理的位置が同一である場合には、類似しているだろう。これは、配達されていない荷物の請求についての不正を検出するのに役立つだけではなく、荷物が配達されたときに実時間で配送業者の間違い（単数または複数）を正すために使用されることも可能であり、時間と顧客の不満を省く（すなわち、配達しようとする位置が場合により正しくない場合には配送業者に通知する）。
【０００９】
配達が繰り返されるに従い、経路からの逸脱を検出し、効率的な分析にデータを提供するために、配送業者の経路に沿って、ＲＦ指紋の記録が構築され得る。配送業者のステップデータに基づいた推測航法（すなわち、ＲＦ指紋に基づいて配送業者の既知の位置に基づき、配送業者の位置を時間の経過とともに推定する）及びコンパス向首方向もまた収集され得る。ＲＦ指紋及びコンパス方位を加えたステップデータのこの情報の痕跡は、それぞれの以前に訪問した住所への最も効率的な経路の地図を提供するために使用され得る。正確で入手可能なデータに基づいて、経路は、例えばロボットを利用した配送方法のように、自動化された配達の仕組みに十分なデータを提供し得る。より短期的には、新しい運転者／配送業者は、以前に配送業者がとった目的住所への経路を知る利点を有するであろう。これらのデータは、ロバストな地図、経路及び／または位置の決定合計を形成するために、全地球測位システム（ＧＰＳ）、またはその他のシステムのような衛星位置システムから取得された緯度／経度情報のような、その他の情報と組み合わされ得る。
【００１０】
ＲＦ指紋を各荷物の配送箇所にて収集することは、正しい位置の実時間での確認、不正の検出と防止のための証拠、及び配送業者の効率を上げるためのデータを提供する。配送業者がいたことを顧客に確認を提供するには、ＧＰＳ単独は、遅く、電力が非効率であり、位置を必ずしも記録しないと知られており、そのため価値がほとんどない。しかしながら、ＲＦ指紋は、顧客に配達を証明するために顧客の装置上のアプリケーション上で表示されることが可能である。同一の住所への配達が、実際に、実時間で同一の位置にあることを確認することができることは、定期配送のモデルにおいて特に利点がある。新しい運転手や経路に不慣れな運転手は、荷物が実時間で以前の配送と同じ位置に配達されたということを、実時間で確認することができる。
【００１１】
以下の記載は、本開示の例示的な実行を提供する。コンピュータ、オーディオ及びマッピング技術の分野の当業者は、本明細書に記載された、その他のコンポーネントもしくは工程、またはコンポーネントもしくは工程の組合せと互換性があり得るコンポーネントと処理工程は、本開示の利益と利点を依然として達成し得ると認識するであろう。さらに、以下の説明においては、多数の具体的な詳細が本開示の十分な理解を提供するために記載されている。しかしながら、本開示はこれらのいくつかまたは全ての具体的詳細なくして実施され得ることが、当業者には明白であろう。その他の場合においては、よく知られた処理工程は、本開示を必要以上に不明瞭にしないために、詳細に記載されていない。
【００１２】
図１は、本開示の態様による、システムの概要を示す。図示されているように、計算装置、ラップトップコンピュータ、携帯電話、携帯情報端末（ＰＤＡ）、タブレット型コンピュータ、その他の携帯型機器等のような、第１の装置１０４を備えた配送業者１０２は、例えば、住宅１０８のような位置に荷物１０６を配達する。第１の装置１０４は、可視無線アクセスポイント（例えば、（ＢＳＳＩＤ）及び関連する無線周波数（ＲＦ）信号強度を、定期的にスキャンする（例えば、数秒ごとまたはそれ以上）ＷｉＦｉチップのような無線信号受信コンポーネントを含む。本実施例では、住宅は無線アクセスポイント１１０を含み、例えば、近所の住宅または第１の装置１０４が検出可能なその他の施設におけるような、その地域における追加的な無線アクセスポイントがあり得る。これらの無線アクセスポイント及びその関連するＲＦ信号強度は、装置１０４は位置を変えるに従い、第１の装置１０４によって検出される。
【００１３】
荷物１０６が配達されるとき、配送業者１０２は、第１の装置１０４で配達イベントをトリガするが、これには荷物１０６をスキャンすること、ボタンを作動させること、またはその他の操作を含むことが可能である。配達イベントに対応して、第１の装置１０４は、その位置でのＲＦ指紋を決定する。ＲＦ指紋は、配達イベントの時間における第１の装置１０４の位置で検出された、無線信号についての情報を含む。ＲＦ指紋は、対応する信号強度、周囲のラジオノイズ及び／またはその他の情報とともに、ネットワーク識別子を含み得る。第１の装置１０４は、次に、必要に応じて荷物配達情報とともにネットワーク１１２を介して、ＲＦ指紋を第２の装置１１４へと送信し得る。第２の装置１１４は、ＲＦ指紋を受信し、ＲＦ指紋を記憶し、そのＲＦ指紋と以前に記憶された特定の位置に関連付けられたＲＦ指紋との比較を行う。第１の装置１０４によって決定されたＲＦ指紋が、以前に記憶されたＲＦ指紋に正しい配達位置で一致する場合、第２の装置１１４は、現在の配達位置が正しいということを第１の装置１０４に通知する。このようにして、配送業者１０２は、荷物１０６は正しい位置に配達されたことを通知される。一方、第１の装置１０４によって決定されたＲＦ指紋が、以前に記憶されたＲＦ指紋に正しい配達位置で一致しない場合、配送業者１０２は、その荷物が正しくない位置に配送された可能性があることを通知されてよく、配送業者１０２は次にその荷物が本当に現在の位置に配達されたはずか否か、または配送業者１０２が間違った位置にいるのかを再度確かめることができる。
【００１４】
本開示の態様は、計算装置またはコンピュータシステムにおける、コンピュータで実施された方法として実行され得る。これらの計算装置は、携帯電話、ラップトップコンピュータ、タブレット型コンピュータ、パーソナルコンピュータ、ワークステーション、ミニコンピュータ、メインフレームコンピュータ、サーバ等を含むが、これらに限定されない。これらの計算装置は、また、デジタルのマルチメディアコンテンツを処理するための特別に構成されたコンピュータを含む。好適な計算装置の一般的な構造は、図２を参照して以下に記載されている。さらに詳細には、図２は、ＲＦ指紋方式を使用して配達位置を確認するために好適な、計算装置２００の例示的なコンポーネントを図示しているブロック図である。しかしながら、計算装置２００の例示的なコンポーネントの以下の記載は、一例に過ぎなく、いかなる方法でも限定するものと解釈すべきではない。一態様では、図１に示された第１の装置１０４または第２の装置１１４は、例えば、例示的な計算装置２００として実行され得る。
【００１５】
図２に関しては、例示的な計算装置２００は、システムバス２２０を介して、または直接接続を通して、様々なその他のコンポーネントと通信するプロセッサ２０２を含み得る。これらその他のコンポーネントは、一例として、ネットワークインタフェース２０４、入力装置インタフェース２０６、出力インタフェース２０８及びメモリ２１０を含み得る。当業者によって理解されるように、ネットワークインタフェース２０４は、計算装置２００が、コンピュータ、データソース、記憶装置等を含む、その他のリソースと、インターネットのようなコンピュータネットワーク上で、データ、制御メッセージ、データ要求、その他の情報を通信することを可能にする。ネットワークインタフェース２０４は、有線または無線接続を介して通信するよう構成され得る。当業者が理解すると思われるように、計算装置２００は、スキャンを得てコンピュータネットワークまたはその他のネットワークを介して無線アクセスポイントを識別し得る。計算装置２００は、また、ＲＦ指紋を決定し、例えばネットワーク上の別のコンピュータネットワークのような、ネットワークで結ばれた位置に送信し得る。
【００１６】
入力装置のインタフェース２０６は、時として入力／出力インタフェースとしても具現化され、計算装置２００が様々な装置からデータ入力を取得するのを可能にする。これらの装置には、マイクロフォン、デジタルペン、タッチスクリーン、キーボード、マウス、スキャナ等が含まれるが、これらに限定されない。上記の例示的なコンポーネントに加え、出力インタフェース２０８は、音声信号またはディスプレイ情報のような情報の出力に使用され得る。ディスプレイ情報は、例えば、出力インタフェース２０８によって表示装置（例えば、図示されていないがモニタまたは同様の装置）を介して出力され得る。音声出力は、また、出力インタフェース２０８によって、例えばスピーカのような音声装置に出力され得る。図示はされていないが、当業者は、１つ以上のスピーカが、計算装置２００内の一体型の要素として組み込まれるか、計算装置２００から分離され得ることを当然、理解するであろう。
【００１７】
プロセッサ２０２は、メモリ２１０に記憶されたプログラミングインストラクションに従って、動作するよう構成され得る。メモリ２１０は、一般に、ＲＡＭ，ＲＯＭ及び／またはその他のメモリを備える。したがって、読み出し／書き込みメモリ（ＲＡＭ）に保存されることに加え、プログラミングインストラクションもまた、ＲＯＭやその他の永続的メモリなどに見られるような、読取り専用形式にて具現化され得る。メモリ２１０は、計算装置２００の動作を制御するためにオペレーティングシステム２１２を記憶し得る。オペレーティングシステムは、マイクロソフトウインドウズのオペレーティングシステム、ＵＮＩＸ（登録商標）オペレーティングシステム、Ｌｉｎｕｘ（登録商標）オペレーティングシステムまたは計算装置２００用に特別に書かれて調整されたオペレーティングシステムのような、汎用のオペレーティングシステムであり得る。同様に、メモリ２１０は、計算装置２００上の様々な機能を実施するための、ユーザが実行可能なアプリケーション２１４またはプログラムをも記憶し得る。例えば、メモリ２１０中のアプリケーション２１４は、本開示の態様によって、配達位置を確認するためのＲＦ指紋を決定し比較するよう構成され得る。
【００１８】
計算装置２００は、また、データストア２１６及びＲＦ指紋コンポーネント２１８を含み得る。データストア２１６は、本開示の態様による、配達位置を確認するために使用され得る位置に関連する、ネットワーク可用性及び信号強度情報（ＲＦ指紋）に関する位置データを記憶し得る。ＲＦ指紋コンポーネント２１８は、特定の位置におけるＲＦ指紋を決定するよう構成され得る。この決定は、配達イベントに対応して行われてよく、継続的にまたはその他の条件のもとに行われてよい。ＲＦ指紋コンポーネントは、ネットワークインタフェース２０４、入力装置インタフェース２０６及び／またはネットワークインタフェース及び／または入力装置インタフェース２０６に組み込まれ得る、（ＷｉＦｉチップ、セルラーチップまたはその他の無線通信装置のような）その他のコンポーネントを含む、計算装置２００の様々なその他のコンポーネントから無線信号情報を受信し得る。
【００１９】
以下の記載は、主として、従来のコンピュータコンポーネント及びメディアコンポーネントによって実行され得る論理及び動作の点から提示されていると理解されるべきである。これらのコンピュータコンポーネントは、単一箇所にグループ化されるか、または広域にわたって分配され得る。コンピュータのコンポーネントが分配される状況においては、コンポーネントは、例えば有線及び／または無線の通信回線を介して互いにアクセスされ得る。
【００２０】
図３にて示すように、複数の装置がネットワーク３０２を介して接続され得る。ネットワーク３０２は、ローカルネットワークやプライベートネットワークを含んでよく、またはインターネットのような広域ネットワークを含んでよい。装置は有線接続または無線接続の何れかによってネットワーク３０２に接続され得る。例えば、無線装置３０４は、無線サービスプロバイダを通じてネットワーク３０２に接続され得る。ラップトップ３０６やタブレット型コンピュータ３０８のようなその他の装置は、無線サービスプロバイダ、ＷｉＦｉ接続等を介することを含む、様々な接続方法を使用してネットワーク３０２に接続可能であり得る。コンピュータ３１０のようなその他の装置は、有線接続を通してネットワーク３０２に接続し得る。
【００２１】
特定のシステム構成においては、１つ以上の遠隔装置は、遠隔装置から決定されたＲＦ指紋を受信し、ＲＦ指紋を記憶し、ＲＦ指紋を位置に関連付け、ローカル装置によって決定された指紋を記憶されたＲＦ指紋と比較して配達位置を確認し得る。例えば、ローカル無線装置３０４によって決定されたＲＦ指紋は、コンピュータ３１２やサーバ３１４によって無線装置３０４へネットワーク３０２を介して送信され、またはＲＦ指紋を決定する同様の装置は、配達位置を確認するために関連付けを行い得る。
【００２２】
本開示の１つの構成は、図４に示されている。この構成においては、ローカル装置４０２は、コンポーネント４１８及びネットワークインタフェース２０４を決定するＲＦ指紋を含み得る。ローカル装置４０２は、ネットワーク４０４を介して遠隔装置４０６へとＲＦ指紋を決定し送信し得る。ネットワーク４０６は、インターネット、ローカルエリアネットワーク、装置の物理的接続を可能にするネットワーク、無線通信ネットワーク、または（有線または無線の）直接接続を含む装置間におけるその他の好適な接続のような、広域ネットワークであり得る。一態様では、ＲＦ指紋は、在庫管理メッセージの一環として遠隔装置に送信されてよく、したがって、配送業者の装置が、配達位置を確認し、単一のメッセージにおける在庫管理システムで配達を確認するのを可能にする。例えば、配送業者が無線装置で荷物をスキャンすると、無線装置は、単一のメッセージ中のＲＦ指紋とともに荷物の情報を、ＲＦ指紋を使用して荷物の追跡、配達位置の確認の双方を行うために、遠隔装置に送信し得る。遠隔装置４０６は、ＲＦ指紋比較コンポーネント４０８及びデータストア４１０を含み得る。ＲＦ指紋決定コンポーネント４１８及び／またはＲＦ指紋比較コンポーネント４０８は、図２に参照して論じられたＲＦコンポーネント２１８に組み込まれ得る。データストア４１０は、住所及び受取人のような位置に関連付けられた、以前に記憶されたＲＦ指紋のデータベースを含み得る。ＲＦ指紋比較コンポーネント４０８は、少し前に記憶されたＲＦ指紋とＲＦ指紋のデータベースとを比較し、現在の配達の配達位置を確認し、ローカル装置４０２に確認を送信する。もし配達位置が正しい場合には、遠隔装置４０６は、ローカル装置４０２に正しい位置であることを示すメッセージを送信し得る。このメッセージは、配達が在庫管理システムに記録されたことを確認するような、在庫管理についての情報をも含み得る。別の態様では、遠隔装置４０６は、コンポーネントを決定するＲＦ指紋も含み得る。しかしながら、遠隔装置４０６のコンポーネントを決定するＲＦ指紋は、ローカル装置からＲＦ指紋のメッセージを受信することによってＲＦ指紋を決定し得る。
【００２３】
本明細書に開示されたシステム及び方法は、ＲＦ指紋を使用して、配達位置の確認を可能にする。図５は、ＲＦ指紋方式に基づいて配達位置を確認するための例示的方法を示すフローチャートである。一例として、１つ以上の図１〜４の論理的コンポーネントは、本明細書で開示された方法を実行し得る。ブロック５０２において、無線周波数（ＲＦ）の送信、ＷｉＦｉ  ＳＳＩＤまたはその他の無線送信のような１つ以上の無線ネットワークアクセスポイントは、例えば、可能性のある配達位置で配送業者の携帯型機器によって検出される。配達位置では、配達イベントがトリガされ、ブロック５０４として図示されている。配達イベントに対応して、ブロック５０６として図示されているように、（例えばＲＦ指紋決定コンポーネント４１８を使用する）携帯型機器は、送達位置でＲＦ指紋を決定する。上記のように、無線指紋は、入手可能なネットワーク（単数または複数）に対応する情報及びその関連する信号強度（単数または複数）であり得る。一実施例では、少なくとも１つの入手可能なネットワークは、無線ネットワーク（ＳＳＩＤ）及び配達位置の住所に対応するネットワークの関連する信号強度であり得る。別の実施例では、ＲＦ指紋は、検出された無線信号を示す配列及びそれらの無線信号に対応する特徴を備え得る。ＲＦ指紋の例示形態は、ＲＦ指紋のその他の構成が使用され得るが、以下に示されている。
ＲＦ指紋１：
［検出信号Ａ：送信局ＩＤ、強度、周波数
検出信号Ｂ：送信局ＩＤ、強度、周波数
検出信号Ｃ：送信局ＩＤ、強度、周波数］
ＲＦ指紋２：
［検出信号Ａ：ネットワーク名、送信局ＩＤ、強度、
検出信号Ｂ：ネットワーク名、送信局ＩＤ、強度、
検出信号Ｃ：ネットワーク名、送信局ＩＤ、強度］
ＲＦ指紋３：
［検出信号Ａ：送信局ＩＤ、強度、技術型（例、ＷｉＦｉ）
検出信号Ｂ：送信局ＩＤ、強度、技術型
検出信号Ｃ：送信局ＩＤ、強度、技術型］
【００２４】
配達位置のＲＦ指紋が決定されると、システムは、ブロック５０７として示されているように、所望の配達位置に対応した以前に記憶されたＲＦ指紋（単数または複数）を識別し得る。所望の配達位置に対応する以前に記憶されたＲＦ指紋（単数または複数）は、所望の配達住所の情報を記憶されたＲＦ指紋のデータベース及び配達住所と比較することによって、識別され得る。適正な以前に記憶されたＲＦ指紋（単数または複数）は、所望の配達住所に対応する記憶されたＲＦ指紋を識別することによって識別され得る。決定されたＲＦ指紋は、次に、ブロック５０８として図示されているように、現在の配達位置に関連付けられた、以前に記憶されたＲＦ指紋（単数または複数）と比較される。これは、例えば、ＲＦ指紋比較コンポーネント４０８によって行われ得る。ブロック５１０として図示されているように、決定されたＲＦ指紋が、確率モデルに基づいた以前に記憶されたＲＦ指紋（単数または複数）と一致するか、対応するとき、配達位置が正しいと確認される。一例として、荷物は、同一の配達住所で、以前に記憶されたＲＦ指紋が以前の配達で決定された住所に配達される。以前に記憶されたＲＦ指紋（単数または複数）は、同一住所への配達が本当に同一の位置に配達されているか確認するために、現在決定されたＲＦ指紋と比較される。
【００２５】
ブロック５１２として図示されているように、現在決定されたＲＦ指紋が、以前に記憶されたＲＦ指紋（単数または複数）と一致しないか、対応しないとき、配達位置は正しくないと識別される。配達の確認が誤った配達位置を示す場合、配送業者は、配達位置の住所を再点検することができ、及び／または別の位置に移動し、図５の方法を繰り返して次の配達位置（単数または複数）が正しいことを確認することが出来る。
【００２６】
検出されたＲＦ指紋を以前に記憶されたＲＦ指紋と比較することは、様々な方法で行ってよい。１つにおいて、検出されたＲＦ指紋に対応する配列及び以前に記憶されたＲＦ指紋は、多次元空間に図示されてよく、各次元は検出された無線ネットワークの特徴を表す。（信号強度、動作周波数等のような）検出された無線ネットワークの特徴に対応するデータポイントは、図示され、互いに比較され得る。多次元空間内のＲＦ指紋との間の距離に基づいて、ＲＦ指紋が同一の位置に対応する可能性を示して確率が割り当てられ得る。これは確率モデルと称され得る。例えば、考慮すべき１つの係数は、検出されたＲＦ指紋と以前に記録されたＲＦ指紋の双方で検出された、いくつかの無線信号であり得る。別の係数は、それぞれの重なりあった無線信号の比較信号強度であり得る。これらの係数（及び／またはその他）は、考慮中の双方のＲＦ指紋間の異なる検出された無線信号のアクセスポイントとして図示され得る。係数間の距離は、累積的または個別に、比較されたＲＦ指紋の類似性の尺度と考えられ得る。確率スコアは、距離に基づいて比較されたペアに割り当てられ得る。スコアが特定の閾値を超えた場合、ＲＦ指紋は実質的に互いに類似していると考えられ得る。
【００２７】
このシステムを構成すると、様々な試験及び環境条件に基づいて確率は異なる距離に割り当てられ得る。確率はパラメータの組み合わせの機能でもあり得る。例えば、第１のパラメータは、それぞれの比較されたＲＦ指紋に現れるいくつかの一致する無線信号アクセスポイントであり得る。第２のパラメータは、その他の指紋用の同一のアクセスポイントと比較して、無線信号アクセスポイントの図示された信号強度が１つの指紋に対し、どの程度離れているかであり得る。第３のパラメータは、１つのＲＦ指紋中の無線信号アクセスポイントの存在であり得るが、その他アクセスポイントではない。どの程度パラメータがＲＦ指紋を比較するかによって、スコアは、ＲＦ指紋が同一位置に対応する可能性を示す比較に割り当てられ得る。別の実施例では、特定のパラメータは、ＲＦ指紋または対応するパラメータを比較すると、重みが異なり得る。例えば、無線信号アクセスポイントが最近のＲＦ指紋に現れた場合で、古いＲＦ指紋には現れない場合には、そのパラメータは、無線信号アクセスポイントが古いＲＦ指紋に現れるがより最近のＲＦ指紋には現れない場合よりも重みが異なり得る（例えば、重要であると考えられない）。ＲＦ指紋の比較の確率スコアは、様々な比較考慮のための重みに従って調整され得る。比較考慮は、重み付けされた階層で構成されてよく、階層の最上位での比較は、最下位での比較よりも大きな重さが与えられる。
【００２８】
一態様では、ＲＦ指紋が部分的に以前に記録されたＲＦ指紋に一致する場合、すなわちＲＦ指紋が、例えば、位置に関連する４つのネットワークのうち３つを含むとき、このことは誰かが移動したか、またはネットワークが変更された等を示し得る。この状況では、本システムは、配達員に、別のより新しい位置（例えばアパート２つ先）に行くことを指示し、比較をする目的で、別のＲＦ指紋を収集し得る。最初の（配達位置における）ＲＦ指紋及び（２度目の点検位置での）第２のＲＦ指紋の双方が、一定の閾値を超える予想された読み込みに関連がある場合、システムは配達位置が正しいと決定し得る。または、あるいはこのシステムは、当初の配達位置での閾値検出を単に実行し得る。もし十分に高いＲＦ指紋の相関関係がある場合には（例えば７０％超）、配達位置が確認され得る。
【００２９】
一態様では、顧客の苦情を受けない配達からのＲＦ指紋は、配達住所に関連付けられたＲＦ指紋のデータベースを作成するために使用され得る。そのため、配送業者が荷物を配達位置に配送するとき、配達住所及び現在のＲＦ指紋は、データベースに比較され、配達位置の確認が配送業者に提供され得る。
【００３０】
ＲＦ指紋は、また、その他のデータに関連付けられ得る。例えば、ＧＰＳデータ、大気圧、受取人名、その他の位置種類データのような地理的位置データである。大気圧などのデータは、配送地点で配送業者の装置によって収集され得る。一般的な既知のＧＰＳデータは、オフィスビル内や集合住宅内のような屋内の位置では、正しい測定とならない可能性がある。しかしながら、ＲＦ指紋は、単独で、またはその他のデータと組み合わされて使用され、配達が、例えば集合住宅の正しい区画に行われたことを確実にするために、配達位置を３−Ｄ（ｘ，ｙ，ｚ）の座標系で確認することが可能である。
【００３１】
図６は、本開示の態様による、ＲＦ指紋の例示的なデータベース構造である。図６に示されているように、データベースは、配達住所６０２をＲＦ指紋６０４に関連付けるよう構成され得る。そのため、配送業者が、所望により配達住所情報とともにＲＦ指紋を送信するとき、配達住所の以前のＲＦ指紋を検索し、決定されたＲＦ指紋が配達住所に対応するかどうかを、例えば、確率モデルを使用して識別するために、正しい配達住所が使用され得る。
【００３２】
追加のデータは、また、ＲＦ指紋６０４及び配達住所６０２に関連付けられ得る。例えば、受取人名６０６、ＧＰＳデータ６０８、大気圧６１０及びその他のデータ６１２に関連付けられ得る。この追加のデータは、また、配達イベントに対応して配送業者の装置によって収集され得る。より多いデータを使用することは、より正しく、より細かいレベルの配達位置の確認を可能にし得る。
【００３３】
また、多数のＲＦ指紋６０４、受取人名６０６、ＧＰＳデータ６０８、大気圧６１０、及びその他の位置種類データ６１２が単一の配達住所６０２に関連し得ることを理解すべきである。例えば、２人以上の人が一定の住所で生活や仕事をし得るため、荷物が同じ住所に宛てられる複数の名前があり得る。さらに、大気圧のデータは、例えば、複数の階がある建物内の階を識別するのを支援する、高度の決定において有用であり得る。
【００３４】
受取人名６０６は、また、人が住所を移動する際に、ＲＦ指紋とともにＲＦ指紋を識別するためにも使用され得る。人が住所を移動する際には、その住所で新しい人が、サービスのある新しい無線アクセスポイントまたはルータを有する可能性があるため、ＲＦ指紋も変更する可能性がある。そのため、ＲＦ指紋が受取人名とともに変化する場合、このシステムは、その位置での以前のＲＦ指紋を、配達位置と比較するときにこのようなＲＦ指紋の変化が発生した可能性があり、変更すべきであることを知り得る。
【００３５】
図７は、受取人名が変わった場合の、配達位置を確認するための例示的方法を示すフローチャートである。上記のように、無線周波数（ＲＦ）、ＷｉＦｉ  ＳＳＩＤまたはその他の無線送信を送信する１つ以上の無線ネットワークアクセスポイントは、例えば、可能性のある配達位置で配送業者の携帯型機器によって検出される。配達位置では、配達イベントがトリガされる。配達イベントに対応して、ブロック７０２として図示されているように、配送業者の携帯型機器は、送達位置でＲＦ指紋を決定する。決定されたＲＦ指紋は、ブロック７０４として図示されているように、配達位置に関連付けられ以前に記憶されたＲＦ指紋と比較される。本実施例では、決定されたＲＦ指紋は、ブロック７０６として図示されているように、以前に記憶されたＲＦ指紋とは異なる。
【００３６】
配達住所における受取人名は、ブロック７０８として図示されているように、同一の住所における以前に記憶された受取人名と比較される。その名前は、変化されるように識別され、そのためこのシステムは、ブロック７１０として図示されているように、ＲＦ指紋が、一定の量によって変化し得ることを理解する。ＲＦ指紋が、ブロック７１２として図示されているように、以前のＲＦ指紋に一定の確率内で近い場合、配達位置は確認され得る。
【００３７】
一態様では、配送業者の装置は、ＲＦ指紋データを収集し、必要に応じて追加のデータを実時間で配送業者の経路に沿って収集し得る。このデータは、配送業者が配達位置を確認するよりもむしろ、配送業者が配達するための位置にいることを配送業者に通知するために使用され得る。図８は、配達位置を識別するための例示的方法を示すフローチャートである。ブロック８０２において、配送業者の装置は、継続的に無線アクセスポイントを検出し、ＲＦ指紋を配送業者の経路に沿って実時間で決定する。決定されたＲＦ指紋は、ブロック８０４として図示されているように、実時間でデータベースにおける、以前に記憶されたＲＦ指紋と比較される。ブロック８０６として図示されたように、確率モデルに基づいて、決定されたＲＦ指紋と以前に記憶されたＲＦ指紋との一致が判明し、ブロック８０８として図示されたように、配送業者は配送業者が配達位置にいることを通知される。配送業者が配達位置にいるため、配送が次に予定された配送でなくても、これは配送業者が配送を行うことを可能にする。配送業者がその他の方法を使用して配達位置を見つけることが困難である場合には、これも正しい位置を見つけることにおいて、配送業者を支援することを可能にする。別の態様では、このシステムは、配送業者が配達位置に近づいている時に配送業者に通知するためにＲＦ指紋の情報を使用し得る。配送業者の装置が、所望の配達位置への一定の距離内の位置に対応するＲＦ指紋を決定するとき、システムは、業者に、配達位置が近づいていることを通知し、決定された場合には、配達位置の方向と距離を通知し得る。例えば、配送業者が職場の中央メール室に荷物を配送するように指示された場合、このシステムは、メール室の既知のＲＦ指紋と、業者が職場状況を誘導する時に業者の装置によって検出されたＲＦ指紋（単数または複数）とに基づいて、中央メール室への道を業者に教えうる。
【００３８】
ＲＦ指紋の継続的な決定は、また、効率を上げるために、配送業者に経路を追跡し計画するために使用され得る。上述したように、追加のデータは、また、精度を上げ、地図に基づいてより細かい位置を提供するために、ＲＦ指紋に関連付けられ、またはマッピングされ得る。
【００３９】
一態様では、受取人は、また、配達住所のＲＦ指紋を提供するために招待され得る。この情報は、配達位置を確認するために使用され得る。可能性のある受取人は、ウェブインタフェース、またはその他の方法を通じて受取人に提供された、個別調整された装置のアプリケーションを通して、その個別の装置によって検出されたＲＦ指紋を提供し得る。可能性のある受取人は、多数の可能性のある配達位置（例えば、正面扉、裏口扉、会議室、メール室等）に対応する多数のＲＦ指紋を決定し得る。それらのＲＦ指紋は、次に、システムによって、それぞれの可能性のある配達位置及び、物理的な住所、緯度／経度の情報、大気圧等のようなその他の情報と関連付けられ得る。関連付けられた情報は、可能性のある受取人によって提供され、または既知の情報またはその他のソースから決定された情報を使用するシステムによって、決定され得る。
【００４０】
可能性のある受取人は、また、受取人の制御下で、ＳＳＩＤや無線アクセスポイント（すなわち、ＷｉＦｉアクセスポイント）のその他の識別のような無線信号のどれが、受取人に関連付けられるかを示し得る。そのアクセスポイントの予測された信号強度は、ユーザによって関連付けられた配達住所では強力であってよい。そのため、一態様では、受取人に関連付けられた無線アクセスポイントが検出される場合、確認の確率は、配達位置で上昇されてよく、さらに正しい配達位置の確認の信頼性を増加する。
【００４１】
図９は、上述の方法の例示的な実行を示す。ブロック９０２において、配達位置でのＲＦ指紋及び／またはＳＳＩＤは、配達位置で受取人から受信する。これは配達が行われる前に起こり得る。受信されたＲＦ／ＳＳＩＤ指紋は、ブロック９０４として示されているように、配達住所に関連付けられ、またはマップ化され、記憶される。配達時、ブロック９０６として図示されているように、配送業者の装置は、送達位置でＲＦ指紋を決定する。決定されたＲＦ指紋は、ブロック９０８として図示されているように、データベース内の以前に受信されたＲＦ指紋及び／またはＳＳＩＤと比較される。ブロック９１０として図示されているように、決定されたＲＦ指紋及び以前に受信されたＲＦ指紋及び／またはＳＳＩＤが確率モデルに基づいて一致する場合、配達位置は配達住所として確認される。
【００４２】
別の態様では、ＲＦ指紋は、受取人による単独での検証のために受取人に提供されてよく、及び／または受取人に荷物の配達位置を提供するために使用されてよい。例えば、ＲＦ指紋の信号強度（単数または複数）は、無線アクセスポイントから約１０フィートのような、受取人の無線アクセスポイント（無線ルータ）からの距離測定を提供するために使用されてよく、または荷物の位置への地図を提供してよい。この情報は、例えば、電子メール、テキストメッセージング、音声メール等を介して、受取人に送信されてよい。受取人は、また、このような情報を取得するために配達に関連付けられたアカウントにアクセスすることが可能である。このような情報は、荷物が物理的にどこへ配達されたか探す際に受取人を支援し得る。
【００４３】
図１０は、上述の方法の例示的な実行を示す。ブロック１００２において、受取人は、受取人の購入または受取人の荷物の配達に関連付けられたアカウントにアクセスする。ブロック１００４として図示されているように、配達で決定されたＲＦ指紋は、受取人に提供される。ブロック１００６に図示されたように、受取人は、次に、例えば、ＲＦ指紋を決定し、配送業者によって決定されたＲＦ指紋を比較することによって、個別にＲＦ指紋を検証し、配送業者が実際に正しい住所に送達したことを確認することができる。
【００４４】
一態様では、受取人は荷物が実際に降ろされた場所の地図を要求することができる。ブロック１００８として図示されているように、このシステムは要求を受信し、最強の無線アクセスポイントに関連して、例えば、ブロック１０１０として図示されているように、検出された無線アクセスポイントの信号強度に基づいて、荷物が降ろされた場所の地図／位置を決定する。ブロック１０１２として図示されているように、地図／位置は、次に、受取人に提供され得る。受取人は次に地図／位置を使用して荷物を見つけることが出来る。このシステムは、ビル内の特定の職場のようなユーザの定義された位置から、特定のメール室のような配達位置への経路を生じ得る。経路は、配達過程中（または別の時間に）検出されたＲＦ指紋に基づいて生成され、システムに記憶され得る。経路は次にユーザの荷物の位置に対するクエリに反応して生成され得る。
【００４５】
一態様では、荷物が正しく送達されたという確認をこのシステムが受信する場合には、荷物の配達がされる間に決定されたＲＦ指紋は、配達住所の別の可能性のある比較指紋としてシステムに加えられてよい。そのため、ユーザまたはその他のエンティティが、荷物が正しく配達されたと確認するまでは、決定されたＲＦ指紋はシステムによって記憶され得る。確認を受け、記憶されたＲＦ指紋は、対象の配達住所と関連付けられ、対象の配達住所に対応するその他のＲＦ指紋を記憶し得る。
【００４６】
上述のように、ＲＦ指紋は、例えばＷｉＦｉルータのような無線ルータに基づく。しかしながら、ＲＦ指紋は、例えば、ＷｉＦｉ、セルラータワー、ブルートゥース（登録商標）検出、無線帯域等の、その他の技術または技術の組み合わせをベースにしてよい。例えば、全周波数スペクトルスキャンまたは特定の周波数が使用され得る。一実施形態では、２．４ＧＨｚと５ＧＨｚの範囲の周波数スキャンが使用され得る。一実施形態では、セルラータワーの範囲の周波数スキャンが使用され得る。さらに他の実施形態では、全周波数スキャンまたは任意の数の範囲での部分周波数スキャンが使用され得る。
【００４７】
上述のように、様々な実施形態が多種多様な操作環境において実行されてよく、場合によっては、１つ以上のユーザコンピュータ、計算装置またはいくつかのアプリケーションのいずれかを操作するために使用され得る処理装置を含み得る。ローカル装置及び遠隔装置は、セルラー装置、無線装置及び移動ソフトウェアを動かし、いくつものネットワーキングとプロトコルを支援することができる携帯型装置と同様に、標準オペレーティングシステムを作動するデスクトップまたはラップトップコンピュータのような、いくつかの汎用のパーソナルコンピュータのいずれかを含むことができる。このようなシステムは、また、様々な市販のオペレーティングシステムと、開発とデータベース管理などの目的のその他の既知のアプリケーションの、いずれかを作動するいくつかのワークステーションを含み得る。これらの装置はまた、ダミー端子、シンクライアント、ゲーミングシステム及びネットワークを介して通信可能なその他の装置のような、その他の電子装置を含み得る。
【００４８】
様々な態様もまた、サービス指向型アーキテクチャの一部であり得るような、少なくとも１つのサービスまたはウェブサービスの一部として実行され得る。拡張可能なマークアップ言語（ＸＭＬ）形式を使用することによって、及びＳＯＡＰ（簡易オブジェクトアクセスプロトコルから誘導）のような適切なプロトコルを使用して交換され、ウェブサービスのようなサービスは、任意の適切な種類の通信を使用して通信することが可能である。このようなサービスによって提供され、実行されたプロセスは、ウェブサービス記述言語（ＷＳＤＬ）のような、任意の適切な言語で書かれ得る。ＷＳＤＬのような言語を使用すると、様々なＳＯＡＰフレームワークにおいて、クライアント側コードを自動生成するような機能が可能になる。
【００４９】
たいていの実施形態は、ＴＣＰ／ＩＰ、ＯＳＩ、ＦＴＰ、ＵＰｎＰ、ＮＦＳ及びＣＩＦＳのような、様々な市販のプロトコルのいずれかを使用して、通信を支援するために当業者によく知られていると思われる、少なくとも１つのネットワークを利用する。ネットワークは、例えば、ローカルエリアネットワーク、広域ネットワーク、仮想私設ネットワーク、インターネット、イントラネット、エクストラネット、公衆交換電話網、赤外線ネットワーク、無線ネットワーク及びこれらの任意の組み合わせであり得る。
【００５０】
ウェブサーバを利用する実施形態においては、ウェブサーバは、ＨＴＴＰサーバ、ＦＴＰサーバ、ＣＧＩサーバ、データサーバ、Ｊａｖａ（登録商標）サーバ及び業務アプリケーションサーバを含む、様々なサーバのいずれか、または中間層のアプリケーションを作動し得る。サーバ（単数または複数）は、また、プログラムまたはスクリプトを、１つ以上のウェブアプリケーションの実行のような、ユーザの装置からの要求に対して、実行可能であり得る。このウェブアプリケーションは、Ｊａｖａ、Ｃ、Ｃ＃もしくはＣ＋＋またはＰｅｒｌ、Ｐｙｔｈｏｎ、ＴＣＬのような任意のスクリプト言語、これらの組み合わせと同様に、任意のプログラミング言語で書かれた１つ以上のスクリプトまたはプログラムとして実行され得る。サーバ（単数または複数）は、オラクル（登録商標）、マイクロソフト（登録商標）、サイベース（登録商標）及びＩＢＭ（登録商標）から市販されているデータベースサーバをもまた含み得るが、これらに限定されない。
【００５１】
この環境は、上述のように、様々なデータストアと、その他のメモリと記憶媒体を含み得る。これらは、１つ以上のコンピュータのローカルにある（及び／または存在する）またはネットワークを経由するコンピュータのいずれかまたはその全てから離れている記憶媒体のような、様々な位置にあり得る。特定の一式の実施形態においては、情報は、当業者によく知られたストレージエリアネットワーク（「ＳＡＮ」）内に存在する。同様に、コンピュータ、サーバまたはその他のネットワーク装置に属する機能を実行するための任意の必要なファイルは、ローカル及び／またはリモートに適切なものとして記憶され得る。システムがコンピュータ化された装置を含む場合、それぞれのそのような装置は、バスを介して電気的に接続され得るハードウェア要素を含んでよく、要素は、例えば、少なくとも１つの中央演算処理装置（ＣＰＵ）、少なくとも１つの入力装置（例えば、マウス、キーボード、コントローラ、タッチスクリーン、キーパッドまたはマイクロフォン）、及び少なくとも１つの出力装置（例えば表示装置、プリンタまたはスピーカ）を含み得る。このようなシステムは、また、リムーバブルメディア装置、メモリカード、フラッシュカード等と同様に、ディスクドライブ、１つ以上の記憶装置、光学記憶装置及びランダムアクセスメモリ（「ＲＡＭ」）または読み取り専用メモリ（「ＲＯＭ」）のような、固体記憶装置を含み得る。
【００５２】
このような装置は、また、コンピュータで読み取り可能な記憶媒体リーダ、通信装置（例えば、モデム、ネットワークカード（有線または無線）、赤外線通信装置等）及び上記のような作業用メモリを含み得る。コンピュータで読み取り可能な記憶媒体読取装置は、一時的及び／またはより恒久的に、コンピュータ読み取り可能な情報を含有し、記憶し、送信し、検索するための記憶媒体と同様に、遠隔記憶装置、ローカル記憶装置、固定記憶装置及び／または取り外し可能な記憶装置を代表例とする、コンピュータ読み取り可能な記憶媒体に接続され、または受信するよう構成され得る。このシステム及び様々な装置もまた、典型的にはいくつかのソフトウェアアプリケーション、モジュール、サービスまたは、オペレーティングシステム及びアプリケーションクライアントやウェブブラウザのようなアプリケーションプログラムを含む、少なくとも１つの作動記憶装置内に配置されたその他の要素を含むだろう。他の実施形態は、その上述から多数の変形を有し得ると理解されよう。例えば、カスタマイズされたハードウェアも使用され、及び／または特定の要素は、（アプレットのような携帯可能なソフトウェアを含む）ハードウェア、ソフトウェアまたはその両方において実行され得る。さらに、ネットワーク入力／出力装置のような、その他の計算装置への接続が用いられ得る。
【００５３】
コードまたはコードの一部を含有するための、記憶媒体及びコンピュータで読み取り可能な媒体は、この技術にて既知または使用されている、任意の適切な記憶媒体及び通信媒体を含んでよい。しかし、その媒体は、コンピュータで読み取り可能な指示、データ構造、プログラムモジュール、またはその他のデータのような、情報の記憶及び／または伝達のために、任意の方法または技術で実行される、揮発性及び非揮発性、可換型記録媒体及び非可換型記録媒体に限定されない。その方法または技術は、ＲＡＭ、ＲＯＭ、ＥＥＰＲＯＭ、フラッシュメモリまたはその他のメモリ技術、ＣＤ−ＲＯＭ、デジタル多用途ディスク（ＤＶＤ）またはその他の光学記憶装置、磁気カセット、磁気テープ、磁気ディスク記憶装置、その他の磁気記憶装置、または所望の情報を記憶するために使用可能であり、システムまたは装置によってアクセスされることが可能な任意のその他の媒体を含み得る。本明細書で提供された開示及び教示に基づいて、当業者は、様々な実施形態を実行するための適切なその他の手段及び／または方法を理解するであろう。
【００５４】
上記は、また、以下の項目の見地から理解され得る。
【００５５】
１．  品物の所望の配達位置を確認する方法であって、
第１回目で第１の位置にて検出された１つ以上の無線信号についての第１の情報を収集し、第１の情報は１つ以上の信号識別子、信号強度または１つ以上の無線信号の信号周波数を含み、
第２回目で所望の配達位置にて検出された１つ以上の無線信号についての第２の情報を識別し、第２回目は第１回目より前であり、
いくつかの重複する無線信号を決定し、重複する無線信号は、第１の情報と第２の情報の両方に含まれる無線信号であり、
それぞれの重複する無線信号のために、第１の情報と第２の情報中で検出された信号強度を決定し、
第１の位置が所望の配達位置と同一である確率を表すスコアを決定し、そのスコアは、第１の情報と第２の情報中のいくつかの重複する信号強度と、対応する決定された信号強度とを使用して決定し、
第１の位置は閾値を超えるスコアに対応して、所望の配達位置と同一であることを確認することを含む、品物の所望の配達位置を確認する方法。
【００５６】
２．  第１の情報を収集することは、送達イベントに対応して実行され、送達イベントは配達前の品物の在庫識別子を処理することを含み、この方法は、第１の位置での装置から在庫識別子と第１の情報を遠隔装置へ送信することをさらに含む、１項に記載の方法。
【００５７】
３．  第１の情報中に表されていない第２の情報中に表されたいくつかの無線信号を識別し、
スコアを低減し、低減する量は、第１の情報中に表されていない第２の情報中に表されたいくつかの無線信号によって決定されることをさらに含む、１項に記載の方法。
【００５８】
４．  品物が正しく配達されたという表示を受信し、
第１の情報を所望の配達位置に関連付け、
将来の配達予定のために配達位置を確認する際に使用する第１の情報を記憶することをさらに含む、１項に記載の方法。
【００５９】
５．  配達位置で無線周波数指紋を決定し、
決定された無線周波数指紋を以前に記憶された無線周波数指紋と比較することを含む方法。
【００６０】
６．  無線周波数指紋は、１つ以上の無線信号識別子、無線信号強度、無線信号周波数、無線信号送信機の識別子、または無線信号のパイロット信号のコンテンツを備える、５項に記載の方法。
【００６１】
７．  以前に記憶された無線周波数指紋と実質的に同一である、決定された無線周波数指紋に対応してメッセージをローカル装置に送信することをさらに備え、メッセージは配達位置が正しいと示すことを含む、５項に記載の方法。
【００６２】
８．  以前に記録された無線周波数指紋が１つ以上の住所、個人の名前、緯度／経度データ、または大気圧データに関連付けられる、５項に記載の方法。
【００６３】
９．  決定された無線周波数指紋を以前に記憶された無線周波数指紋と比較することが、決定された無線周波数指紋のいくつかの無線信号と対応する信号強度を、いくつかの無線信号と、以前に記録された無線周波数指紋の対応する信号強度と比較し、比較結果に基づいてスコアを決定することを含む、５項に記載の方法。
【００６４】
１０．  可能性のある配達位置で無線周波数指紋を記録するためにユーザの装置にインタフェースを提供し、
記録された無線周波数指紋をユーザの装置から受信し、
記録された無線周波数指紋を可能性のある配達位置と関連付け、
記録された無線周波数指紋と、関連付けられた可能性のある配達位置を記憶することをさらに含む、５項に記載の方法。
【００６５】
１１．  配達位置の通知の要求に対応して、無線周波数指紋に少なくとも部分的に基づいて、配達位置の指示をユーザに送信することをさらに含む、５項に記載の方法。
【００６６】
１２．  複数の無線周波数指紋をローカル装置から受信し、
配達するためにターゲットの配達位置に関連付けられた以前に記憶された無線周波数指紋と実質的に同一の、少なくとも１つの複数の無線周波数指紋に対応して、ローカル装置が配達の位置にあることを示すローカル装置に通知を送信することをさらに含む、５項に記載の方法。
【００６７】
１３．  配達位置を確認するためのシステムであって、
少なくとも１つのプロセッサと、
一連の操作を実行する、少なくとも１つのプロセッサによって実行される操作可能な指示を含む記憶装置を備え、プロセッサは
配達位置で無線周波数指紋を決定し、
決定された無線周波数指紋を以前に記憶された無線周波数指紋と比較するように構成される、配達位置を確認するためのシステム。
【００６８】
１４．  無線周波数指紋は、１つ以上の無線信号識別子、無線信号強度、無線信号周波数、無線信号送信機の識別子、または無線信号のパイロット信号のコンテンツを備える、１３項に記載のシステム。
【００６９】
１５．  少なくとも１つのプロセッサが、以前に記録された無線周波数指紋と実質的に同一である、決定された無線周波数指紋に対応してメッセージをローカル装置に送信するようさらに構成され、メッセージは配達位置が正しいと示すことを含む、１３項に記載のシステム。
【００７０】
１６．  以前に記憶された無線周波数指紋が１つ以上の住所、個人の名前、緯度／経度データ、または大気圧データに関連付けられる、１３項に記載のシステム。
【００７１】
１７．  決定された無線周波数指紋を以前に記録された無線周波数指紋と比較するように構成される少なくとも１つのプロセッサを備え、
前記少なくとも１つのプロセッサは、
いくつかの無線信号及び対応する決定された無線周波数指紋の信号強度と、いくつかの無線信号及び対応する以前に記憶された無線周波数指紋の信号強度とを比較し、
比較結果に基づいてスコアを決定する、１３項に記載のシステム。
【００７２】
１８．  少なくとも１つのプロセッサが、さらに、
可能性のある配達位置で無線周波数指紋を記録するためにユーザの装置にインタフェースを提供し、
記録された無線周波数指紋をユーザの装置から受信し、
記録された無線周波数指紋を可能性のある配達位置と関連付け、
記録された無線周波数指紋、と関連付けられた可能性のある配達位置を記憶するように構成された、１３項に記載のシステム。
【００７３】
１９．  少なくとも１つのプロセッサが、さらに、配達位置の通知の要求に対応して、少なくとも部分的に無線周波数指紋に基づいて、配達位置の指示をユーザに送信するように構成された、１３項に記載のシステム。
【００７４】
２０．  少なくとも１つのプロセッサが、さらに、
複数の無線周波数指紋をローカル装置から受信し、
配達するためにターゲットの配達位置に関連付けられた、以前に記憶された無線周波数指紋と実質的に同一の、少なくとも１つの複数の無線周波数指紋に対応して、ローカル装置が配達の位置にあることを示すローカル装置に通知を送信することように構成された、１３項に記載のシステム。
【００７５】
したがって、明細書及び図面は、制限を意味するというよりも、むしろ例証として考慮されるべきである。しかしながら、様々な修正や変更が、添付の特許請求の範囲に記述されているように、より広い精神と本開示の範囲から逸脱することなく成され得るということは、明白であろう。
【図１】
2016540957.tif 000003
【図２】
2016540957.tif 000004
【図３】
2016540957.tif 000005
【図４】
2016540957.tif 000006
【図５】
2016540957.tif 000007
【図６】
2016540957.tif 000008
【図７】
2016540957.tif 000009
【図８】
2016540957.tif 000010
【図９】
2016540957.tif 000011
【図１０】
2016540957.tif 000012
【国際調査報告】
2016540957.tif 000013